(57)【要約】【課題】発射球誘導通路への異物の侵入を防止でき、しかも、発射球誘導通路の清掃を容易に行うことができる球通路保護構造を提供すること。【解決手段】球通路保護構造は、通路保護カバー９と、通路保護カバー９に対する外部からの操作を規制する規制部材２０，２１とを備え、本体枠１に対して前面枠２が閉じられた状態にあるとき、規制部材２０，２１は通路保護カバー９に対する操作を規制し、通路保護カバー９により発射球誘導通路８の上方は閉塞状態に維持され、また、本体枠１に対して前面枠２を開放したとき、規制部材２０，２１は通路保護カバー９に対する操作を許可し、通路保護カバー９に対する外部からの操作に基づき発射球誘導通路８の上方は開放状態に変化する。【選択図】図１０
2008220499.tif 000002
【特許請求の範囲】
【請求項１】
前面枠に設けられた受け皿内の遊技球を本体枠に設けられた発射レールまで誘導する発射球誘導通路の上方を開放又は閉塞する通路保護カバーと、
前記通路保護カバーに対する外部からの操作を規制する規制部材とを備え、
前記本体枠に対して前記前面枠が閉じられた状態にあるとき、前記規制部材は前記通路保護カバーに対する操作を規制し、該通路保護カバーにより前記発射球誘導通路の上方は閉塞状態に維持され、
また、前記本体枠に対して前記前面枠を開放したとき、前記規制部材は前記通路保護カバーに対する操作を許可し、該通路保護カバーに対する外部からの操作に基づき前記発射球誘導通路の上方は開放状態に変化する
ことを特徴とするパチンコ遊技機の球通路保護構造。
【請求項２】
弾性部材を備え、該弾性部材は、前記発射球誘導通路の上方を閉塞する方向の弾性力を常時前記通路保護カバーに加えることを特徴とする請求項１に記載のパチンコ遊技機の球通路保護構造。
【発明の詳細な説明】
【技術分野】
【０００１】
本発明は、パチンコ遊技機の球通路保護構造、詳しくは、パチンコ遊技機において、受け皿内の遊技球を発射レールまで誘導する発射球誘導通路を保護するための球通路保護構造に関する。
【背景技術】
【０００２】
パチンコ遊技機において、主に払い出された遊技球を貯留する受け皿には、貯留した遊技球を一列に整列し、球送り装置によって１個ずつ発射レールまで誘導する発射球誘導通路が設けられている。
【発明の開示】
【発明が解決しようとする課題】
【０００３】
しかし、従来の発射球誘導通路は上方へ開口して構成されているため、パチンコ遊技機の製造過程などにおいてビス等細かい異物が侵入したり、遊技中において飲食物のかけらなど異物が侵入し易く、また汚れ易いという問題があった。
【０００４】
本発明は、上記の問題点に鑑みなされたものであり、発射球誘導通路への異物の侵入を防止できる球通路保護構造を提供することを基本的な目的とする。
【０００５】
さらに、本発明は、異物の侵入を防止可能な球通路保護構造において、発射球誘導通路の清掃を容易に行うことができる球通路保護構造を提供することを目的とする。
【課題を解決するための手段】
【０００６】
本発明によるパチンコ遊技機の球通路保護構造は、前面枠に設けられた受け皿内の遊技球を本体枠に設けられた発射レールまで誘導する発射球誘導通路の上方を開放又は閉塞する通路保護カバーと、前記通路保護カバーに対する外部からの操作を規制する規制部材とを備え、前記本体枠に対して前記前面枠が閉じられた状態にあるとき、前記規制部材は前記通路保護カバーに対する操作を規制し、該通路保護カバーにより前記発射球誘導通路の上方は閉塞状態に維持され、また、前記本体枠に対して前記前面枠を開放したとき、前記規制部材は前記通路保護カバーに対する操作を許可し、該通路保護カバーに対する外部からの操作に基づき前記発射球誘導通路の上方は開放状態に変化することを特徴とする。
【０００７】
本発明の球通路保護構造において、本体枠に対して前面枠が閉じられた状態にあるときは、規制部材によって通路保護カバーに対する外部操作は不可能とされ、通路保護カバーにより発射球誘導通路の上方は閉塞状態に維持される。このため、発射球誘導通路の上方から異物が侵入しようとしても、通路保護カバーによって異物の侵入が阻止される。
【０００８】
また、本発明の球通路保護構造において、本体枠に対して前面枠を開放したときには、規制部材による規制が解除されることにより通路保護カバーに対する外部操作が可能となり、通路保護カバーを操作することによって発射球誘導通路の上方を全面的に開放することが可能となる。このため、上方が開放された発射球誘導通路の掃除が簡単になる。
【０００９】
また、本発明の球通路保護構造は、弾性部材を備え、該弾性部材は、前記発射球誘導通路の上方を閉塞する方向の弾性力を常時前記通路保護カバーに加える。この弾性部材を設けたことにより、発射球誘導通路に対する清掃を終了し、通路保護カバーに対する操作を解除すると、弾性部材の弾性力によって通路保護カバーが自動的に発射球誘導通路の上方を閉塞する状態に戻るようになるため、清掃作業者が通路保護カバーを戻す作業を行わなくて済み、戻し忘れが発生しない。
【発明を実施するための最良の形態】
【００１０】
以下、本発明の実施形態を図面に基づいて説明する。
【００１１】
図１は、本発明の一実施形態に係る球通路保護構造が組み込まれたパチンコ遊技機の正面図、図２は、同パチンコ遊技機において、本体枠に対して前面枠を開放した状態を表した斜視図、図３は、図２における要部の拡大図、図４は、本体枠の発射レールと前面枠の受け皿との位置関係を表した分解斜視図、図５は、前面枠の受け皿周辺の右側面図、図６は、通路保護カバーの斜視図、図７は、同通路保護カバーの平面図、図８は、同通路保護カバーの正面図、図９は、同通路保護カバーの右側面図、図１０は、同通路保護カバーの動作説明図をそれぞれ示す。
【００１２】
図１〜図５において、パチンコ遊技機は、本体枠１と、本体枠１にヒンジ結合され、本体枠１に対して開閉可能な前面枠２を備える。
【００１３】
本体枠１には、図示しない遊技盤が取り付けられる。本体枠１の下部には、前面枠２のハンドル３が操作されたときに遊技盤の遊技領域に遊技球を発射する発射装置４が設けられており、発射装置４の前方に発射レール５が設けられている。
【００１４】
前面枠２には、通常のパチンコ遊技機のガラス枠つまり前面枠２に対して開閉可能なガラス枠とは異なり、前面枠２に対して開閉不可能なガラス窓６が設けられている。つまり、ガラス窓６は、前面枠２に対して一体に設けられている。
【００１５】
前面枠２の下部には、主に賞球払出装置（図示せず。）によって払い出された遊技球を貯留する受け皿７が一体に設けられている。受け皿７には、貯留した遊技球を一列に整列し、球送り装置によって本体枠１の発射レール５まで１個ずつ誘導する発射球誘導通路８が設けられている。
【００１６】
発射球誘導通路８には、その上方を閉塞可能な通路保護カバー９が設けられている。
【００１７】
通路保護カバー９は、発射球誘導通路８の形状に適合させた形状を有しており、図６〜図９に示すように、天井部１０と、天井部１０から下方へ延在する正面壁部１１と、正面壁部１１の下端から後方へ延在する床部１２とを有する。床部１２は、通常時、後述するスプリング１６の弾性力に基づき、発射球誘導通路８に一列に整列された遊技球の近傍上方に位置しており、発射球誘導通路８の天井を構成する。
【００１８】
天井部１０の上面には、遊技機の前後方向へ水平に延びる軸孔１３を有する回動軸部１４が一体に設けられている。回動軸部１４の軸孔１３には、前面枠２側に設けられた軸部１５が挿通され、通路保護カバー９は、軸部１５を回転中心として回転可能とされる。
【００１９】
正面壁部１１の裏面には、弾性部材例えばスプリング１６の一端部を固定するための突起部１７が一体に形成されている。スプリング１６の他端部は、前面枠２側に設けられた保持部１８に固定される。スプリング１６は、通路保護カバー９に対して正面視反時計方向の付勢力を常時加えている。換言すると、スプリング１６は、軸部１５を支点として通路保護カバー９が発射球誘導通路８を閉塞する方向の弾性力を常時加えている。なお、突起部１７は、天井部１０の下面から下方へ、あるいは、床部１２の上面から上方へ設けるようにしてもよい。また、弾性部材１６は、弾性力を有するものであればよく、樹脂製弾性部材や板ばねを用いてもよい。
【００２０】
通路保護カバー９は、スプリング１６から発射球誘導通路８を閉塞する方向の弾性力を受けているが、通路保護カバー９は、正面壁部１１の右端面が、前面枠２側に設けられたストッパー部１９と当接することによって、上記閉塞方向への無用な回動が規制されている。
【００２１】
正面壁部１１の裏面には、本体枠１に対して前面枠２が閉じられたとき、本体枠１側に設けられた本体枠側規制部材２０と協同して通路保護カバー９の開放方向への回動を規制し、通路保護カバー９を閉塞状態に保つ通路保護カバー側規制部材２１が設けられている。本実施形態の場合、通路保護カバー側規制部材２１は、遊技機の前後方向へ水平に延びた筒状部で構成され、本体枠側規制部材２０は、本体枠１に対し前面枠２を閉じたとき上記筒状部２１の中空部２２に挿入された状態となるピン部で構成される。なお、上記とは反対に、通路保護カバー側規制部材２１をピン部で構成し、本体枠側規制部材２０を筒状部で構成するようにしてもよい。さらに、通路保護カバー側規制部材２１を板状部で構成し、本体枠側規制部材２０を、板状部２１の上面近傍に配されるピン部で構成し、ピン部２０が板状部２１と当接することによって通路保護カバー９の開放方向への回動を規制するようにしてもよい。
【００２２】
次に、通路保護カバー９を主要な構成要素とする球通路保護構造の動作を図１０等に基づいて説明する。
【００２３】
本体枠１に対して前面枠２を閉じた状態にあるとき、通路保護カバー９は、図１０（A）に示す状態にある。すなわち、通路保護カバー９は、スプリング１６の弾性力により軸部１５を支点として正面視反時計方向へ付勢されており、通路保護カバー９の正面壁部１１の右端面が前面枠２側のストッパー部１９と当接状態にあり、通路保護カバー９は、発射球誘導通路８の上方を閉塞状態に維持し、通路保護カバー９の床部１２は、発射球誘導通路８の天井を構成する。このため、受け皿７内に貯留されている遊技球は、通路保護カバー９と干渉せず、発射球誘導通路８において一列に整列され、球送り装置によって１個ずつ発射レール５まで誘導される。
【００２４】
さらに、本体枠１に対して前面枠２を閉じた状態にあるとき、通路保護カバー９の筒状部２１の中空部に本体枠１側のピン２０が挿入した状態にある。このため、外部から通路保護カバー９を開放しようとする操作が行われても、通路保護カバー９を回動することができないため、通路保護カバー９が非所望に開放されることを防止できる。
【００２５】
一方、本体枠１に対して前面枠２を開放した状態にあるとき、通路保護カバー９は、本体枠１に対して前面枠２を閉じた状態にあるときと同様な状態にあり、発射球誘導通路８の上方を閉塞状態に維持する。しかし、本体枠１側のピン２０は、前面枠２の開放に伴い通路保護カバー９の筒状部２１の中空部から抜け出た状態となり、通路保護カバー９を回動する操作に対する規制は解除されている。このため、通路保護カバー９に対して正面視時計方向へ回動する操作を行うことによって、通路保護カバー９は、スプリング１６の弾性力に抗して正面視時計方向へ回動し、図１０（B）に示すように、発射球誘導通路８の上方を開放状態へ変化させることができ、発射球誘導通路８の上方を開放状態に保ちながら発射球誘導通路８を清掃することができるようになる。
【００２６】
発射球誘導通路８の清掃を終了した後は、通路保護カバー９への操作力を解除すると、スプリング１６の弾性力により通路保護カバー９は元の状態に復帰し、発射球誘導通路８の上方は再び通路保護カバー９によって閉塞状態に戻る。その後、本体枠１に対して前面枠２を閉じると、通路保護カバー９の筒状部２１の中空部に本体枠１側のピン２０が挿入され、通路保護カバー９に対する外部からの操作が規制される。
【００２７】
以上説明したように、本実施形態の球通路保護構造は、前面枠２に設けられた受け皿７内の遊技球を本体枠１に設けられた発射レール５まで誘導する発射球誘導通路８の上方を開放又は閉塞する通路保護カバー９と、通路保護カバー９に対する外部からの操作を規制する規制部材（前面枠側規制部材２１及び本体枠側規制部材２０）とを備え、本体枠１に対して前面枠２が閉じられた状態にあるとき、規制部材２０，２１は通路保護カバー９に対する操作を規制し、通路保護カバー９により発射球誘導通路８の上方は閉塞状態に維持され、また、本体枠１に対して前面枠２を開放したとき、規制部材２０，２１は通路保護カバー９に対する操作を許可し、通路保護カバー９に対する外部からの操作に基づき発射球誘導通路８の上方は開放状態に変化する。このように、本体枠１に対して前面枠２が閉じられた状態にあるときは、規制部材２０，２１によって通路保護カバー９に対する外部操作は不可能とされ、通路保護カバー９により発射球誘導通路８の上方は閉塞状態に維持されるため、発射球誘導通路８の上方から異物が侵入しようとしても、通路保護カバー９によって異物の侵入が阻止される。また、本体枠１に対して前面枠２を開放したときには、規制部材２０，２１による規制が解除されることにより通路保護カバー９に対する外部操作が可能となり、通路保護カバー９を操作することによって発射球誘導通路８の上方を全面的に開放することが可能となるため、上方が開放された発射球誘導通路８に対してその上方から清掃を行うことができ、幅が狭い発射球誘導通路８内に侵入した異物や汚れを簡単に除去することが可能となる。
【００２８】
また、本実施形態の球通路保護構造は、弾性部材１６を備え、弾性部材１６は、発射球誘導通路８の上方を閉塞する方向の弾性力を常時通路保護カバー９に加える。この弾性部材１６を設けたことにより、発射球誘導通路８に対する清掃を終了し、通路保護カバー９に対する操作を解除すると、弾性部材１６の弾性力によって通路保護カバー９が自動的に発射球誘導通路８の上方を閉塞する状態に戻るようになるため、清掃作業者が通路保護カバー９を戻す作業を行わなくて済み、戻し忘れが発生しない。
【図面の簡単な説明】
【００２９】
【図１】本発明の一実施形態に係る球通路保護構造が組み込まれたパチンコ遊技機の正面図である。
【図２】同パチンコ遊技機において、本体枠に対して前面枠を開放した状態を表した斜視図である。
【図３】図２における要部の拡大図である。
【図４】本体枠の発射レールと前面枠の受け皿との位置関係を表した分解斜視図である。
【図５】前面枠の受け皿周辺の右側面図である。
【図６】通路保護カバーの斜視図である。
【図７】同通路保護カバーの平面図である。
【図８】同通路保護カバーの正面図である。
【図９】同通路保護カバーの右側面図である。
【図１０】同通路保護カバーの動作説明図である。
【符号の説明】
【００３０】
１    本体枠
２    前面枠
５    発射レール
６    ガラス窓
７    受け皿
８    発射球誘導通路
９    通路保護カバー
１６    弾性部材
２０，２１    規制部材
【図１】
2008220499.tif 000003
【図２】
2008220499.tif 000004
【図３】
2008220499.tif 000005
【図４】
2008220499.tif 000006
【図５】
2008220499.tif 000007
【図６】
2008220499.tif 000008
【図７】
2008220499.tif 000009
【図８】
2008220499.tif 000010
【図９】
2008220499.tif 000011
【図１０】
2008220499.tif 000012